(57)【特許請求の範囲】
【請求項１】
メタルウッドタイプのゴルフクラブにおいて、
シャフトと、
上記シャフトの基端部に結合されたグリップと、
上記シャフトの末端部に結合されたヘッドとを有し、
上記ヘッドは、さらに、
測定可能なフェース高さを具備しゴルフボールを打撃するための打撃表面を形成するフェース部と、
上記フェース部の背面部から伸びてクラウン部およびソール部を含む本体部とを有するメタルウッドタイプのゴルフクラブヘッドにおいて、
上記メタルウッドタイプのゴルフクラブヘッドの体積は２００ｃｃから３００ｃｃの間であり、
上記メタルウッドタイプのゴルフクラブヘッドのＣＧ位置は地面を含む水平平面上に測定可能な高さに位置づけられ、
上記メタルウッドタイプのゴルフクラブヘッドのＣＧの、上記フェース高さに対する上記ＣＧの位置の高さとして定義される、フェース高さに対する比が０．４０未満であり、
上記メタルウッドタイプのゴルフクラブを連結した上記シャフトの総合クラブ長が１０４．１ｃｍ（４１インチ）から１１４．３ｃｍ（４５インチ）の間であり、
上記メタルウッドタイプのゴルフクラブのＣＯＲ値が０．７９０から０．８３０であり、
上記メタルウッドタイプのゴルフクラブのｙ軸（垂直方向）の回りのＭＯＩ値が２５００ｇ−ｃｍ２から４５００ｇ−ｃｍ２であることを特徴とするメタルウッドタイプのゴルフクラブ。
【請求項２】
メタルウッドタイプのゴルフクラブにおいて、
シャフトと、
上記シャフトの基端部に結合されたグリップと、
上記シャフトの末端部に結合されたヘッドとを有し、
上記ヘッドは、さらに、
測定可能なフェース高さを具備しゴルフボールを打撃するための打撃表面を形成するフェース部と、
上記フェース部の背面部から伸びてクラウン部およびソール部を含む本体部とを有し、
上記ヘッドの体積は２００ｃｃから３００ｃｃの間であり、
上記ヘッドのＣＧ位置は地面を含む水平平面上に測定可能な高さに位置づけられ、
上記ヘッドは２９００ｇ−ｃｍ２より大きい性能ファクタを有し、上記性能ファクタは、フェース高さ、上記ヘッドのＣＯＲ値、および上記ヘッドのｙ軸回りのＭＯＩ値の積を上記ＣＧ位置の高さで割ったものとして定義され、
上記地面を含む上記水平平面上の上記ＣＧ位置の高さは１０ｍｍから２０ｍｍの間であり、
上記メタルウッドタイプのゴルフクラブを連結した上記シャフトの総合クラブ長が１０４．１ｃｍ（４１インチ）から１１４．３ｃｍ（４５インチ）の間であり、
上記メタルウッドタイプのゴルフクラブのＣＯＲ値が０．７９０から０．８３０であり、
上記メタルウッドタイプのゴルフクラブのｙ軸（垂直方向）の回りのＭＯＩ値が２５００ｇ−ｃｍ２から４５００ｇ−ｃｍ２であることを特徴とするメタルウッドタイプのゴルフクラブ。
【発明の詳細な説明】
【技術分野】
【０００１】
この発明は、全般的には、性能特性が改良されたゴルフクラブに関する。より具体的には、この発明は、フェアウェイタイプのゴルフクラブヘッドの制御性および精度を伴いつつ、ドライバタイプのゴルフクラブヘッドと類似な顕著な距離を実現することが可能なメタルウッドタイプのゴルフクラブに関する。さらに具体的には、この発明は、重心（ＣＧ）の高さのフェース深さ（フェース高さともいう。図１にｄ１１で示す）に対する比が約０．４未満で、体積が約１５０立方センチメートル（ｃｃ）から約３６０立方センチメートル（ｃｃ）で、フェース深さが約３０ミリメートル（ｍｍ）から約６５ミリメートル（ｍｍ）で、反発係数（ＣＯＲ）が約０．７９０より大きく、ＣＧ位置が地面から約１０ｍｍから約２０ｍｍ離れたメタルウッドタイプのゴルフクラブに関する。
【背景技術】
【０００２】
ゴルフクラブの設計が複雑なことはつとに知られている。クラブの各部品（すなわちクラブヘッド、シャフト、ホーゼル、グリップ、およびこれらのサブコンポーネント）の仕様は、ゴルフクラブの性能に直接的に影響する。そのため、設計仕様を変更して、ゴルフクラブを仕上げて特別な性能特性を伴うようにする。
【０００３】
メタルウッドタイプのゴルフクラブを採用するプレイヤは一般的により長く、よりまっすぐなゴルフボール弾道を望んできており、とくにアイアンタイプのゴルフクラブと較べた場合には顕著である。ただし、メタルヘッドタイプのゴルフクラブが距離を最大化するように設計されるときに、しばしば、精度を犠牲にしてそれを実現する。そして、種々な要素がメタルウッドタイプのゴルフクラブの距離および精度に影響を与えるので、メタルウッドタイプのゴルフクラブにおいて距離および精度の正確なバランスは困難なことが多い。
【０００４】
一般的に、「ドライバ」と呼ばれる特殊なタイプのメタルウッドタイプのゴルフクラブヘッドは、ゴルフショットの距離を最大化するために使用されてきた。ドライバタイプのゴルフクラブヘッドは種々の要素を採用することにより最大距離を実現でき、例えば、それは長いシャフト、大きな反発係数（ＣＯＲ）のフェース、一般的には４００ｃｃより大となる、大容積、軽量材料例えばチタン、深いフェース深さ、一部にはその物理的な形状故の高いＣＧ位置である。ドライバタイプのゴルフクラブヘッドは、高いＣＧ位置に深い深度が組合わさって、一般的には、ティーからの打ち出し（オフ・ア・ティー）に、より良好な性能を実現する。ドライバタイプのゴルフクラブに対してティーショットの性能に焦点が置かれるので、ドライバタイプのゴルフクラブヘッドでティーなしで地面に置かれているゴルフボールを打撃するのはより困難になる。ドライバタイプのゴルフクラブヘッドはＣＧ位置が高く、スイートスポットが地面からより離れているからである。さらに、ドライバタイプのゴルフクラブヘッドは、衝撃時のゴルフボールの移動距離を最大化できるけれども、一般的には、シャフトが長く、さらにフェース容積が大きいので、精度の点で犠牲を伴いやすい。
【０００５】
図１は、従来のメタルウッドタイプのゴルフクラブヘッドに従うドライバタイプのゴルフクラブヘッド１００の正面図である。ドライバタイプのゴルフクラブヘッド１００は、図１に示すように、フェース１０２、ホーゼル１０４、およびシャフト１０６を具備するドライバタイプのゴルフクラブヘッド１００を図説し、ドライバタイプのゴルフクラブヘッド１００は、地面レベル１１０から距離ｄ１だけ離れたＣＧ１０８を伴う。従来のドライバタイプのゴルフクラブヘッド１００はフェース１０２の周囲に複数のスコアライン１１２を有してよい。スコアライン１１２は一般的にフェース１０２の中央衝撃部分近くでは好ましくない。なぜなら、スコアライン１１２はフェース１０２の全体としての厚さを小さくし、この結果、フェース１０２の耐久性に悪影響を与えるからである。従来のドライバタイプのゴルフクラブヘッドではフェース１０２は一般的に地面レベル１１０から測定した総合フェース深さ高さｄ１１を伴ってよい。ここで、ｄ１１は一般的には地面レベル１１０からでは５５ｍｍより大きくてよい。従来のドライバタイプのフェース１０２の深さは、一般的には、平坦なフェース１０２から最も早く離れた位置として定義されてよく、これは、従来のドライバタイプのゴルフクラブヘッド１００の全体の輪郭および幾何形状を定義し、ＣＧ高さのフェース深さに対する比を約０．４より大きくする。
【０００６】
従来のドライバタイプのゴルフクラブヘッド１００においては、ＣＧ１０８の位置が地面レベル１１０から比較的高いことに留意されたい。ＣＧ１０８の高さ距離ｄ１は、ドライバタイプのゴルフクラブヘッド１００の大きな幾何形状に起因して、一般的に、地面１１０から約２０ｍｍより大きくてよい。ドライバタイプのゴルフクラブヘッド１００は、一般に、約４４インチより長いクラブ長を伴ってよい。クラブ長が長くなると運動量が大きくなって距離を増大させるからである。ただし、シャフト長が長くなると一般的にゴルファーにとって全体としてのクラブの精度が悪くなるという悪影響があることが一般的に知られている。最後に、ゴルフボール１５０を図１に示してゴルフボール１５０との比較の上でドライバタイプのゴルフクラブヘッド１００およびＣＧ１０８の寸法の参考にする。
【０００７】
図２は、ゴルフボール２５０の背後に配された従来のドライバタイプのゴルフクラブヘッド２００の断面側面図を示し、この図２において、従来のドライバタイプのゴルフクラブヘッド２００のＣＧ２０８の位置は地面レベル２１０から距離ｄ１の位置にある。ドライバタイプのゴルフクラブヘッド２００のＣＧ位置２０８は、図２に示すように、ゴルフボール２５０の赤道の高さより高く、これにより、このドライバタイプのゴルフクラブヘッド２００は地面２１０に置かれているゴルフボールを打撃することが困難である。これに加えて、図２は、地面２１０と直角な平面とロフト角αを形成する、従来のドライバタイプのゴルフクラブヘッド２００のフェース２０２も示している。従来のドライバタイプのゴルフクラブヘッド２００のロフト角αは一般に約７．０度から約１３．０度の間であり、これはドライバタイプのゴルフクラブヘッド２００に典型的な低ロフト角と共通である。この低ロフト角αにより低打ち出しの負ゴルフショットが実現され、これはドライバタイプのゴルフクラブヘッド２００の距離を最大化することができる。最後に、図２は地面２１０から浮いた丸められた先端２４０を示し、これは一般的にドライバタイプのゴルフクラブヘッド２００に見いだせる。ドライバタイプのゴルフクラブヘッド２００における、この丸められた先端２４０は不必要な位置の重量を減らし、他の部分の重量を最大化させる。ドライバタイプのゴルフクラブヘッド２００は一般的にティーからゴルフボールを打つときのみ使用されるので、先端２４０の領域は性能に悪影響を与えることなく削ぎ落とし、削減することが可能である。ただし、ドライバタイプのゴルフクラブヘッド２００を地面からゴルフボール２５０を打つために使用するならば、丸められた先端はドライバタイプのゴルフクラブヘッド２００の性能に悪影響を与え、芝と相互作用し地面２１０のゴルフボール２５０の打撃を困難にする。
【０００８】
ゴルフショットの距離を最大化させるすべての試みにもかかわらず、ゴルフショットの精度も重要である。ゴルフコースのラフ領域に着地したゴルフボールを打撃することはゴルフコースのフェアウェイに着地したゴルフボールを打撃するより難しいからである。草の丈がより高くなると、クラブヘッドは意図したパスからさらに外れがちであり、またボールと打撃フェースとの間に草の葉が落ち込むので、草の葉によって滑りやすくなり、摩擦が減殺され、ゴルフボールの打ち出しバックスピンを減少させる。このショットの困難に対処するために、多くのアイアンタイプのゴルフクラブヘッド、とくにウェッジタイプのゴルフクラブヘッドは、迫力たっぷりの溝構造を具備し、これが、ラフから打ち出すゴルフボールのスピン損失を、フェアウェイから打ち出すゴルフボールに較べて、軽減するのに役立つ。さらに、アイアンおよびウェッジのデザインは特殊なソール幅およびソール曲率の特徴を有し、ゴルフクラブが芝を通り抜けてスライドし、クラブヘッドが意図した経路を進みやすくする。ただし、アイアンタイプのゴルフクラブヘッドにおける、ラフからのショットをフェアウェイからのショットと同様に良好にする上でのすべての進展にもかかわらず、ショットの困難性に決定的な差が残る。すなわち、ティーボックスからのゴルフショットの精度を非常に好ましい特性にすることが残っている。
【０００９】
ドライバタイプのゴルフクラブヘッドにおける精度の低下に対処するために、あるゴルファーは、ドライバタイプのゴルフクラブヘッドに較べたときにある程度距離を犠牲にすることを覚悟の上で、ティーショットの精度を向上させるためにフェアウェイタイプのゴルフクラブヘッドを使用する。フェアウェイタイプのゴルフラブヘッドは、部分的には、その短いシャフト、一般的に４００ｃｃ未満の小さな体積、スチール材料、浅いフェース深さ、およびその物理形状に導出される低いＣＧ、ならびに、高いロフトに起因して、一般的に、ドライバタイプのゴルフクラブヘッドより良好な精度を実現できる。フェアウェイタイプのゴルフクラブヘッドは、その低ＣＧ位置、浅いフェース深さ、鋭い先端エッジ、および寛容なソール湾曲のために、一般的に、ゴルフボールを地面から打撃する際に、とくに、ドライバタイプのゴルフクラブヘッドと比較した場合、良好の性能を実現できる。その精度にかかわらず、フェアウェイタイプのゴルフクラブヘッドは、一般的に、ドライバタイプのメタルウッドゴルフクラブに較べた場合、その固有の特性、例えば、スチールタイプの材料から製造される点、ＣＯＲが小さい点、およりシャフトが小さい点ゆえに、著しく距離を犠牲にする。
【００１０】
図３はＣＧ３０８の位置が地面３１０から距離ｄ３にある従来のフェアウェイウッドタイプのゴルフクラブヘッド３００を示している。フェアウェイウッドタイプのゴルフクラブヘッド３００のＣＧ位置の高さ距離ｄ３は一般に約１７ｍｍ未満であってよい。フェアウェイウッドタイプのゴルフクラブヘッド３００のこの距離ｄ３はドライバタイプのゴルフクラブヘッド１００（図１に示す）ＣＧ位置１０８を示す距離ｄ１より著しく小さい。フェアウェイウッドタイプのゴルフクラブヘッド３００は、一般的に、図３に示す様にプロフィールが浅く、全フェース深さｄ３３が図１に示す距離ｄ１１より著しく短いという点で、ドライバタイプのゴルフクラブヘッド１００と顕著に異なる。フェース深さ高さｄ３３は一般的には地面レベル３１０から約３５ｍｍより大きくてよい。フェアウェイウッドタイプのゴルフクラブヘッド３００の浅いヘッドプロフィールは、小さな体積、短いシャフト、およびスチールタイプの材料構造と相まって、ＣＧ位置３０８をゴルフボール３５０より下に配置可能にし、これにより、フェアウェイウッドタイプのゴルフクラブヘッド３００で容易にゴルフボール３５０を地面３１０から打ち出せるようになす。最終的には、フェース深さｄ３３およびＣＧ位置ｄ３が、約０．４を超えるフェース深さに対するＣＧ高さの比を形成するのも容易にする。
【００１１】
フェアウェイウッドタイプのゴルフクラブヘッド３００のフェース３０２の耐久性はそのスチール構造ゆえに一般にさほど問題にならないので、フェアウェイウッドタイプのゴルフクラブヘッド３００は一般にフェース３０２の全体にわたって複数のスコアライン３１２を具備する。図３では示されないが、フェアウェイウッドタイプのゴルフクラブヘッド３００は一般に、約１３度より大きな高ロフト角を伴い、フェアウェイウッドタイプのゴルフクラブヘッド３００を用いて打撃したゴルフボール３５０の軌道が高くなるようになす。フェアウェイウッドタイプのゴルフクラブヘッド３００は一般に約４２インチのクラブ長さを伴い、これは、クラブ長さが短ければよりコントロールが可能になるからである。最後に、ゴルフボール３５０は、図３に示すように、フェアウェイウッドタイプのゴルフクラブヘッド３００やＣＧ３０８の高さｄ３の寸法基準をなし、これらをゴルフボール３５０と比較できる。
【００１２】
ドライバタイプのゴルフクラブヘッドおよびフェアウェイウッドタイプのゴルフクラブヘッドの双方は相互に比較した場合にそれ独自の顕著な利点があることがわかる。しかしながら、ドライバタイプのゴルフクラブヘッドおよびフェアウェイウッドタイプのゴルフクラブヘッドの双方は、その固有な設計に関連して著しい欠点を伴い、それぞれの利点を相互に排斥しあうものにしている。したがって、ドライバタイプのゴルフクラブヘッドの距離の利点を維持し、そのうえで、フェアウェイウッドタイプのゴルフクラブヘッドの精度および安定性を伴い、また、ゴルフボールを地面から直接に打撃できるという点を伴うメタルウッドタイプのゴルフクラブの分野においては、たくさんの利点がある。より具体的には、ドライバタイプのゴルフクラブヘッドおよびフェアウェイウッドタイプのゴルフクラブヘッドの双方の利点を一体化して距離を増大化させる性能特性を具備するメタルウッドタイプのゴルフクラブヘッドについてこの分野におい要望がある。  
【発明の開示】
【００１３】
この発明の一側面において、メタルウッドタイプのゴルフクラブヘッドはフェース部および本体部を有する。ヘッドのフェース部は、測定可能な全フェース深さを伴いゴルフボールを打撃するために採用される打撃面を具備する。本体部はフェース部の背面部分から伸び、クラウン部およびソール部を具備する。メタルウッドタイプのゴルフクラブヘッドは約１５０ｃｃから約３６０ｃｃの体積、さらに、地面レベルから測定可能な距離に位置づけられたＣＧ位置を伴って良く、このヘッドのフェース深さに対するＣＧの比は約０．４０より小さい。フェース深さに対するＣＧの比は、全フェース深さに対するＣＧ位置の高さとして定義される。
【００１４】
この発明の他の側面において、メタルウッドタイプのゴルフクラブは、シャフト、このシャフトの基端に結合されたグリップ、およびシャフトの先端に結合されたヘッドを有する。ヘッド自体は、さらに、フェース部および本体部を有する。ヘッドのフェース部は、測定可能な全フェース深さを伴い、ゴルフボールを打撃するために本体部とともに採用される打撃面を具備する。本体部はフェース部の背面部分から伸び、クラウン部およびソール部を具備する。メタルウッドタイプのゴルフクラブヘッドは約１５０ｃｃから約３６０ｃｃの体積、さらに、地面レベルから測定可能な距離に位置づけられたＣＧ位置を伴って良く、このヘッドの性能ファクタは約２９００ｇ−ｃｍ２より大きい。ここで参照される、性能ファクタは、一般的に、フェース深さ、ヘッドのＣＯＲ値、およびヘッドのｙ軸回りのＭＯＩ値の積をＣＧ位置の高さで割ったものとして定義できる。
【００１５】
この発明のさらに他の側面において、メタルウッドタイプのゴルフクラブは、シャフト、このシャフトの基端に結合されたグリップ、およびシャフトの先端に結合されたヘッドを有する。ヘッド自体は、さらに、フェース部および本体部を有する。ヘッドのフェース部は、測定可能な全フェース深さを伴い、ゴルフボールを打撃するために採用される打撃面を具備する。本体部はフェース部の背面部分から伸び、クラウン部およびソール部を具備する。メタルウッドタイプのゴルフクラブヘッドは約１５０ｃｃから約３６０ｃｃの体積、さらに、地面レベルから測定可能な距離に位置づけられたＣＧ位置を伴って良い。この発明のこの側面に従うメタルウッドタイプのゴルフクラブのフェース部は、さらに、第１の曲率半径を含有する頂部、および第２の曲率半径を含有する底部を有してよく、第２の曲率半径が第１の曲率半径より大きい。
【００１６】
この発明のさらに他の側面において、メタルウッドタイプのゴルフクラブは、シャフト、このシャフトの基端に結合されたグリップ、およびシャフトの先端に結合されたヘッドを有する。ヘッド自体は、さらに、フェース部および本体部を有する。ヘッドのフェース部は、測定可能な全フェース深さを伴い、ゴルフボールを打撃するために本体部とともに採用される打撃面を具備する。本体部はフェース部の背面部分から伸び、クラウン部およびソール部を具備する。メタルウッドタイプのゴルフクラブヘッドは約１５０ｃｃから約３６０ｃｃの体積、さらに、地面レベルから測定可能な距離に位置づけられたＣＧ位置を伴って良く、このヘッドの精度ファクタは約５５０ｇ−ｃｍ２より小さい。ここで参照される、精度ファクタは、一般的に、ヘッドのシャフト軸回りのＭＯＩ値にＣＧ位置の高さを掛け、これを、フェース深さ、およびＣＯＲ値の積で割ったものとして定義できる。
【００１７】
この発明のこれらの、または他の特徴、側面、および利点は以下の図面、説明および特許請求の範囲を参照して理解されるであろう。
【００１８】
この発明の、先の、または他の特徴および利点は、添付図面において図説される、この発明の以下の説明から明らかであろう。添付図面はここに組み入れて明細書の一部を構成し、この発明の原理を説明するのに役立ち、同業者がこの発明を実施することを可能にする。
【図面の簡単な説明】
【００１９】
【図１】従来のゴルフクラブヘッドに従うドライバタイプのゴルフクラブヘッドの正面図である。
【図２】従来のゴルフクラブヘッドに従うドライバタイプのゴルフクラブヘッドの断面図である。
【図３】従来のゴルフクラブヘッドに従うフェアウェイタイプのゴルフクラブヘッドの正面図である。
【図４】この発明の事例の実施例に従うこの発明のメタルウッドタイプのゴルフクラブヘッドの正面図である。
【図５】この発明の代替的な実施例に従うこの発明のメタルウッドタイプのゴルフクラブヘッドの正面図である。
【図６】この発明の事例の実施例に従うこの発明のメタルウッドタイプのゴルフクラブヘッドの断面図である。
【図７】この発明の事例の実施例に従うこの発明のメタルウッドタイプのゴルフクラブヘッドのフェース部の拡大図である。
【図８】この発明の他の事例の実施例に従うこの発明のメタルウッドタイプのゴルフクラブヘッドのフェース部の拡大図である。。
【図９】シャフト、および、この発明のメタルウッドタイプのゴルフクラブヘッドの全体の長さを示す、この発明のメタルウッドタイプのゴルフクラブ全体の側面プロフィール図である。
【図１０】ドライバタイプのゴルフクラブ、フェアウェイタイプのゴルフクラブ、およびこの発明のメタルウッドタイプのゴルフクラブによって打撃されたゴルフボールの軌道プロットシミュレーションを示す図である。
【発明を実施するための形態】
【００２０】
以下の詳細な説明は、この発明を現状で最も良く考えられた態様で実現するものである。この記載は限定的の意図で把握されるのでなく、単に、この発明の全体的な原理を説明する目的でなされ、この発明の範囲は添付の特許請求の範囲の記載により最も良く規定される。
【００２１】
以下の説明される種々の発明の特徴は、各々、相互に独立して採用でき、また他の特徴と組みあわされて採用できる。ただし、いずれの１つの発明の特徴も上述した問題のいずれかまたはすべてに対処するものでなくともよく、上述した問題の１つに対処するものであってもよい。さらに上述の問題の１つまたはそれ以上が以下で説明されるいずれの特徴によっても充分に対処されなくとも良い。
【００２２】
この発明で説明される「メタルウッドタイプのゴルフクラブヘッド」は、一般的に、この発明の範囲および内容から逸脱することがない範囲の種々の材料から製造できる、本体が空洞化されたゴルフクラブに関してよい。
【００２３】
図４は、この発明の１実施例に従うメタルウッドタイプのゴルフクラブヘッド４００の正面図である。この発明のメタルウッドタイプのゴルフクラブヘッド４００は、地面４１０からの全フェース深さ高さｄ４４を伴うフェース部４０２、ホーゼル４０４、シャフト４０６、および、地面４１０から距離ｄ４に位置するＣＧ位置４０８を含んで良い。第１に、また主要なことに、この発明のメタルウッドタイプのゴルフクラブヘッド４００は、一般的には、この実施例に示されるように、メタルウッドタイプのゴルフクラブヘッド４００の重量を減少させ、メタルウッドタイプのゴルフクラブヘッド４００のＣＧ４０８位置を最適化するのを容易にするための自由裁量可能な重量を形成するために、チタンベースの材料からなってよい。ただし、この発明の範囲および内容を逸脱しない範囲で、種々の材料、例えばアルミニウム、カーボンファイバー複合材、または比較的低密度の他の材料でチタン材料を補充し、または相補的に置き換えてよい。図４は、参考目的で、ゴルフボール４５０も示しており、これは、そのゴルフボール４５０との比較の下、メタルウッドタイプのゴルフクラブヘッド４００さらにはＣＧ４０８高さｄ４の寸法上の基準を与える。さらに、図４は、基準座標システム４０１を示し、ここで、ｘ軸はフェースに対して水平であり、ｙ軸はクラブを通じて垂直であり、ｚ軸はクラブの前面および背面を通り、紙面を出入りするものである。
【００２４】
この発明のメタルウッドタイプのゴルフクラブヘッド４００は、フェース部４０２を有し、これがフェース部４０２の背面から伸びる本体部と組みあわされる。この本体部は、図４に示す様に、さらにクラウン部およびソール部を有して良い。
【００２５】
図４は、ゴルフボール４５０の隣のメタルウッドタイプのゴルフクラブヘッド４００も示し、この発明のメタルウッドタイプのゴルフクラブヘッド４００のサイズの概略をドライバタイプのゴルフクラブヘッド１００（図１に示す）、およびフェアウェイタイプのゴルフクラブヘッド３００（図３に示す）との関連でも示す。この事例の実施例では、この発明のメタルウッドタイプのゴルフクラブヘッド４００の体積は、一般的に、フェアウェイタイプのゴルフクラブヘッド３００よりも大きく、他方ドライバタイプのゴルフクラブヘッド１００より小さく、実際の体積は、約１５０ｃｃから約３６０ｃｃ、より好ましくは約１７０ｃｃから約３４０ｃｃの間、最も好ましくは、約２００ｃｃから約３００ｃｃの間である。この体積範囲は、一般的に、地面４１０からｄ４４で測定されるフェース深さを伴うフェース４０２を具備する、この発明のメタルウッドタイプのゴルフクラブヘッド４００を実現するであろう。
【００２６】
この発明のメタルウッドタイプのゴルフクラブヘッド４００は、この事例の実施例に示されるように、一般的に、約１９５グラムから約２２０グラムの総質量を伴って良い。この発明のメタルウッドタイプのゴルフクラブヘッド４００の重量は、一般的には、部分的に、この発明のメタルウッドタイプのゴルフクラブヘッド４００の小さな体積、これに加え、採用される軽量材料に基づいて良い。この発明のメタルウッドタイプのゴルフクラブヘッド４００の重量は、一般的に、フェアウェイタイプのゴルフクラブヘッド３００の全重量およびドライバタイプのゴルフクラブヘッド１００の全重量の間で良く、これにより、ドライバタイプのゴルフクラブヘッド１００のみでなくフェアウェイタイプのゴルフクラブヘッド３００の双方の増強された性能能力の利点を伴う。
【００２７】
この発明のメタルウッドタイプのゴルフクラブヘッド４００のフェース４０２は一般的にドライバタイプのゴルフクラブヘッド１００（図１に示す）より浅くて良く、他方、フェアウェイタイプのゴルフクラブヘッド３００（図３に示す）より深くて良い。これは、この発明のメタルウッドタイプのゴルフクラブヘッド４００のフェース深さ距離ｄ４４がドライバタイプのゴルフクラブヘッド１００のフェース深さ距離ｄ１１より小さくて良く、他方、フェアウェイタイプのゴルフクラブヘッド３００のフェース深さ距離ｄ３３より大きくて良いことを意味する。上述と同様に、この発明のメタルウッドタイプのゴルフクラブヘッド４００のフェース４０２の深さは、一般的に、平坦なフェース４０２から最も早く外れる位置として定義されて良い。この事例の実施例に示されるように、この距離ｄ４４は、一般的には約３０ｍｍから約６５ｍｍであり、この範囲のフェース深さは一般的にフェース４０２状に大きな打撃領域を形成して大きな性能特性を実現する。このような拡張されたフェース深さ距離ｄ４４はフェースの深さを深くしてフェース４０３状に大きな打撃領域を形成してこの発明のメタルウッドタイプのゴルフクラブヘッド４００の打撃を容易にする。
【００２８】
しかしながら、拡張されたフェース深さｄ４４が過大であると、そのようなこの発明のメタルウッドタイプのゴルフクラブヘッド４００で地面４１０から打撃を行うことがより難しくなることに留意されたい。この発明のこのようなメタルウッドタイプのゴルフクラブヘッド４００の性能を把握するために、「体積に対する深さの比」を採用して良い。図４は、この発明のメタルウッドタイプのゴルフクラブヘッド４００の相対サイズをゴルフボール４５０と比較して示しており、相対的なフェース深さ距離ｄ４４は一般的に約０．０８ｍｍ／ｃｃから約０．５０ｍｍ／ｃｃの「体積に対する深さの比」を形成して良い。この「体積に対する深さの比」は、一般的には全フェース深さ距離ｄ４４をメタルウッドタイプのゴルフクラブヘッド４００の体積で割ったものとして定義されてよく、以下の式１で定義される。
体積に対する深さの比＝フェース深さ距離／全体積        （式１）
【００２９】
式１で先に説明される「体積に対する深さの比」は、一般的に、この発明のメタルウッドタイプのゴルフクラブヘッド４００が地面４１０からゴルフボール４５０を打撃する能力を示す。なぜならば、フェース深さｄ４４の背が高すぎると、一般的に、この発明のメタルウッドタイプのゴルフクラブヘッド４００により、地面４１０に配置されたゴルフボールを打撃するのがより困難になるからである。逆に、この発明のメタルウッドタイプのゴルフクラブヘッド４００の体積が大きすぎると、地面４１０に配置されたゴルフボール４５０を打撃しようとするときに同様の悲劇的な宿命に直面する。
【００３０】
フェース４０２は、この事例の実施例で示されるように、チタンから製造されて良いという事実に基づいて、フェース４０２の耐久性を犠牲にすることなく、この発明のメタルウッドタイプのゴルフクラブヘッド４００のＣＯＲを増大させる可変フェース厚さを伴って良い。この発明のフェース４０２は、部分的には増大した表面面積に起因し、これに異なる材料組成が組合わさって、一般的には約０．７９０から約０．８３０の間のＣＯＲ値を実現できるであろう。この約０．７９０から約０．８３０の間のＣＯＲ値はドライバタイプのゴルフクラブヘッドのＣＯＲ値と類似であり、この発明のメタルウッドタイプのゴルフクラブヘッド４００がドライバタイプのゴルフクラブヘッド１００の距離ゲインに近い距離ゲインを実現できるようになす。
【００３１】
この発明のメタルウッドタイプのゴルフクラブヘッド４００のＣＧ位置４０８は、一般的に、距離ｄ４で、地面４１０に著しく近くにあり、このため、この発明のメタルウッドタイプのゴルフクラブヘッド４００で地面４１０から直接にゴルフボール４５０を打撃したときに良好な性能能力が実現されることに留意することは重要である。この事例の実施例に示されるように、距離ｄ４は、地面から離れて約１０ｍｍから約２０ｍｍであり、低いＣＧ位置４０８は地面４１０からの打ち出しのクラブ性能を良好にする。現行の距離ｄ４は一般的には図１にｄ１で示されるドライバタイプのゴルフクラブヘッド１００のＣＧ位置１０８より著しく下にあってよい。この距離ｄ４は、図３に示すフェアウェイタイプのゴルフクラブヘッド３００のＣＧ位置３０８により近似していることにも留意されたい。この発明のメタルウッドタイプのゴルフクラブヘッド４００の低いＣＧ位置４０８は、一般的には、ゴルフボール４５０の高さより著しく低く、これによって、この発明のメタルウッドタイプのゴルフクラブヘッド４００はゴルフボール４５０を地面４１０から打撃するのに充分な性能を伴う。
【００３２】
ｄ４により先に表されたＣＧ位置４０８、並びに、フェース４０２の全フェース深さｄ４４の観点から、フェース深さに対するＣＧの比を、ｄ４をｄ４４で割って計算できる。フェース深さに対するＣＧの比は、この事例の実施例で示されるように、一般的には、約０．４未満で良く、より好ましくは約０．３５未満、最も好ましくは約０．３未満であって良い。フェース深さに対するＣＧの比は、ドライバタイプのゴルフクラブヘッド１００において当初可能であって充分な距離を維持しつつ、この発明のメタルウッドタイプのゴルフクラブヘッド４００でゴルフボール４５０を打撃する能力を表す。
【００３３】
この発明のメタルウッドタイプのゴルフクラブヘッド４００は、この事例の実施例に示されるように、ｘ軸回り、ｙ軸回り、およびｚ軸回りに約２５００ｇ−ｃｍ２から約４５００ｇ−ｃｍ２の慣性モーメント（ＭＯＩ）を伴って良い。この発明のメタルウッドタイプのゴルフクラブヘッド４００のＭＯＩの範囲は、一般的に、この発明のメタルウッドタイプのゴルフクラブヘッド４００の増大した体積に起因するものであろう。とくにフェアウェイタイプのゴルフクラブヘッド３００と比較した場合にはそうである。この発明のメタルウッドタイプのゴルフクラブヘッド４００の増大した体積に加えて、この発明のメタルウッドタイプのゴルフクラブヘッド４００の種々の他の特徴、例えば、チタン材料組成、複合材料組成、および／または幾何形状が、ゴルフクラブヘッド４００のすべての回転軸回りの約２５００ｇ−ｃｍ２から約４５００ｇ−ｃｍ２の範囲のＭＯＩを実現するのに役立つ。ｙ軸回りのクラブヘッド４００のＭＯＩナンバーは、このナンバーが、ゴルフボールとの衝突時の回転を阻止してゴルフボール４５０が芯から外れた当たったときでもショットをまっすぐにするゴルフクラブヘッドの能力を表すので、ゴルフクラブヘッド４００においてとくに重要である。先に説明した理由で、この発明のメタルウッドタイプのゴルフクラブヘッド４００は、ドライバタイプのゴルフクラブヘッド１００において当初実現可能であったＭＯＩナンバーと類似の増大したＭＯＩ値の利点を実現できる。
【００３４】
この発明のメタルウッドタイプのゴルフクラブヘッド４００のさきのＣＧ位置４０８、全フェース深さｄ４４、さらにｙ軸回りの増大したＭＯＩナンバーの観点から、所望の「性能ファクタ」を導出できる。この発明のメタルウッドタイプのゴルフクラブヘッド４００の好ましい「性能ファクタ」は、一般的に、ＣＧ位置４０８のフェース４０２のフェース深さｄ４４にＭＯＩナンバー（ｙ軸回り）を乗じ、さらにメタルウッドタイプのゴルフクラブヘッド４００のＣＯＲを乗じ、さらにＣＧ位置４０８の高さｄ４で割ったものであってよく、以下の式２で表される。
性能ファクタ＝フェース深さ×ＭＯＩ（ｙ軸）×ＣＯＲ／ＣＧ位置の高さ          （式２）  
【００３５】
この発明の一例の実施例に従うと、この発明のメタルウッドタイプのゴルフクラブヘッド４００の「性能ファクタ」は、一般的に約２９００ｇ−ｃｍ２より大きい。より具体的には、この発明のメタルウッドタイプのゴルフクラブヘッド４００の「性能ファクタ」は約２９００ｇ−ｃｍ２および約２２４１０ｇ−ｃｍ２の間である。この「性能ファクタ」は、ＣＯＲを大きなものに維持しメタルウッドタイプのゴルフクラブヘッド４００の距離を増大させつつ、この発明のメタルウッドタイプのゴルフクラブヘッド４００が地面からゴルフボール４５０を打撃する能力、さらには、この発明のメタルウッドタイプのゴルフクラブヘッド４００がティーからそれを打撃する能力を表す。
【００３６】
先に述べたｙ軸回りのＭＯＩナンバーに加えて、この発明のメタルウッドタイプのゴルフクラブヘッド４００のシャフト軸回りのＭＯＩも重要であることにも留意されたい。シャフト軸は、この発明のメタルウッドタイプのゴルフクラブヘッド４００のシャフト４０６回りの回転軸として容易に理解できる。この発明のメタルウッドタイプのゴルフクラブヘッド４００のシャフト軸回りのＭＯＩは、ゴルフクラブヘッド４００がゴルフボールと衝突したときにゴルフクラブヘッド４００が回転に抗する能力を表す。この発明のメタルウッドタイプのゴルフクラブヘッド４００のシャフト軸回りのＭＯＩは、一般的に約３０００ｇ−ｃｍ２から約６０００ｇ−ｃｍ２の間であってよい。この発明のメタルウッドタイプのゴルフクラブヘッド４００のシャフト軸回りのＭＯＩは、部分的には、この発明のメタルウッドタイプのゴルフクラブヘッド４００の体積が小さいから、フェアウェイタイプのゴルフクラブヘッド３００のそれと類似であり、これは、この発明のメタルウッドタイプのゴルフクラブヘッド４００をより高精度になす。
【００３７】
この発明のメタルウッドタイプのゴルフクラブヘッド４００のシャフト軸回りのＭＯＩナンバーは種々の他のファクタ、例えば、フェース４０２の深さ、この発明のメタルウッドタイプのゴルフクラブヘッド４００のＣＯＲ、さらに加えて、ＣＧ位置４０８の高さｄ４と組みあわせて「精度ファクタ」を形成できる。この発明のメタルウッドタイプのゴルフクラブヘッド４００の「精度ファクタ」は、一般的には、シャフト軸回りのＭＯＩにＣＧ位置４０８の高さｄ４を乗じ、これをフェース４０２のフェース深さとメタルウッドタイプのゴルフクラブヘッド４００のＣＯＲとの積で割ったものであって良く、以下の式３で表される。
精度ファクタ＝（ＭＯＩ（シャフト軸）×ＣＧ位置の高さ）／（フェース深さ  ×ＣＯＲ）        （式３）
【００３８】
この発明の一例の実施例に従うと、この発明のメタルウッドタイプのゴルフクラブヘッド４００の「精度ファクタ」は、一般的に約５５０ｇ−ｃｍ２未満であってよい。より具体的には、この発明のメタルウッドタイプのゴルフクラブヘッド４００の「精度ファクタ」は約５５ｇ−ｃｍ２および約５５０ｇ−ｃｍ２の間である。この「精度ファクタ」は、この発明のメタルウッドタイプのゴルフクラブヘッド４００が芯からずれた打撃で回転するのに抗してメタルウッドタイプのゴルフクラブヘッド４００の精度を増大させる能力を表す。
【００３９】
最後に、図４に示される、この発明のメタルウッドタイプのゴルフクラブヘッド４００の正面図は、この発明のメタルウッドタイプのゴルフクラブヘッド４００のフェース４０２上の複数のスコアライン４１２を示す。図４から理解できるように、この発明のメタルウッドタイプのゴルフクラブヘッド４００は、図１に見いだせるドライバタイプのゴルフクラブヘッド１００のパターンと類似のスコアライン４１２のパターンを具備して良い。ドライバタイプのゴルフクラブヘッド１００の打撃表面用に一般的に採用される薄くされたチタン材料の耐久性の課題が原因となって、このスコアライン４１２はフェース４０２の中央部分を横切らない。中央部分にスコアライン４１２をなくすことにより、衝撃部分の厚さ分布が均一になり、衝突点におけるフェース部４０２の弱い部分を除去できる。
【００４０】
この発明のメタルウッドタイプのゴルフクラブヘッド４００では耐久性を保全する目的で図４に開示されるようなスコアラインパターンを採用したけれども、図５はこの発明の代替的な実施例を示し、この図において、この発明のメタルウッドタイプのゴルフクラブヘッド５００は、一定で均一な複数のスコアライン５１２をフェース部５０２の全体に渡って伴うフェース部５０２を具備してよい。この発明のメタルウッドタイプのゴルフクラブヘッド５００の減少させられた体積を、減少させられたフェース部５０２の深さと組みあわせているので、この発明のメタルウッドタイプのゴルフクラブヘッド５００は、ドライバタイプのゴルフクラブヘッド１００と比較した場合、一般的に、より小さなフェース部５０２を伴い、これにより、大きなフェース部５０２を具備する、この発明のメタルウッドタイプのゴルフクラブヘッド５００に一般的に関連する耐久性の問題を減少させることができる。この発明のメタルウッドタイプのゴルフクラブヘッド５００は、耐久性に関する限定的な問題を伴うことなしに、フェアウェイタイプのゴルフクラブヘッド３００のスコアライン３１２に類似した、フェース部５０２の全表面に渡って並行する複数のスコアライン５１２を具備することができ、この発明のメタルウッドタイプのゴルフクラブヘッド５００で地面５１０から打撃を行うときに、より自信を持たせることが可能になる。
【００４１】
図６は、この発明の１実施例に従い、フェース部６０２の可変フェース厚さを伴う、この発明のメタルウッドタイプのゴルフクラブヘッド６００の断面図を示す。この発明のメタルウッドタイプのゴルフクラブヘッド６００の断面図は、ゴルフクラブヘッド内のＣＧ位置６０８の相対位置も示す。最後に、図６は、この発明のメタルウッドタイプのゴルフクラブヘッド６００がフェース部６０２および地面６１０に対する垂直面の間で測定されたロフト角βを伴うことを示している。この発明のメタルウッドタイプのゴルフクラブヘッド６００のロフト角βは、一般的には、距離と精度との間の完全なバランスを実現するために、約１０度から約１６度、より好ましくは約１１度から約１４度、最も好ましくは約１２度である。ただし、この発明の範囲および内容から逸脱しないことを条件とする。
【００４２】
図６に示される、この発明のメタルウッドタイプのゴルフクラブヘッド６００の側断面図は、フェース部６０２の可変フェース厚さプロフィールを示すことができる。この発明のメタルウッドタイプのゴルフクラブヘッド６００のフェース部６０２の背面の可変フェース厚さプロフィールに加えて、この発明のメタルウッドタイプのゴルフクラブヘッド６００は、二重体化フェース部６０２を具備して、フェース部６０２の正面部分に頂部６２２および底部６３２を形成してよい。二重体化フェース部６０２は、この発明のメタルウッドタイプのゴルフクラブヘッド６００の異なるショットを補償する２つの異なるロールプロフィールを形成する。
【００４３】
図７は、この発明の事例の実施例に従う、この発明のメタルウッドタイプのゴルフクラブヘッド７００の拡大断面図であり、二重体化フェース部７０２をより良く説明する。フェース部７０２はさらに頂部７２２および底部７３２からなり、それぞれ異なるロール特性を有する。ロール特性は一般に垂直に測定した、フェース部７０２の曲率半径を指す。
【００４４】
フェース部７０２の頂部７２２は一般に図７に示すように典型的なドライバタイプのゴルフクラブヘッド１００のロールプロフィールに似た第１の曲率半径のロールを含み、フェースの中心より上にゴルフボールが当たるとバックスピンの減少が可能になる。頂部７２２のロールは、一般に、この発明のメタルウッドタイプのゴルフクラブヘッド７００を用いてゴルフボールをティーから打つときに役に立つ。なぜなら、一般的に、ティーを用いて地面７１０から離れて高い位置にあるゴルフボールを打つからである。この発明の事例の実施例では、頂部７２２の第１の曲率半径は一般的に約１１度から約１３度の間で良く、これはドライバタイプのゴルフクラブヘッド１００と類似である。
【００４５】
底部７３２は、一般に、現行の事例の実施例に示すようにフェアウェイタイプのゴルフクラブヘッド１３０のフェース特徴に似た第２の曲率半径を伴ってよい。この発明の事例の実施例において、底部７３２の第２の曲率半径は一般的に約１５度より大きくて良く、これはフェアウェイタイプのゴルフクラブヘッド３００のロール曲率半径に類似し、さらにはこれを上回る。ただし、極端な場合には、この発明の範囲および内容から逸脱することなく、底部７３２の曲率は、完全に平坦な底部７３２を更生するように大きくなってよい。一般に、フェアウェイタイプのゴルフクラブヘッド３００においては底部７３２の曲率半径が大きくなることは好ましい。望まれない所定の先端７４０の湾曲を除くことによって、クラブが地面７１０から打撃しやすくなるからである。この発明のメタルウッドタイプのゴルフクラブヘッド７００はこの垂直ロール底部７３２を維持してフェアウェイタイプのゴルフクラブヘッド３００のフェースと類似させ、この発明のメタルウッドタイプのゴルフクラブヘッド７００が、ティーを必要とすることなしに、地面７１０から直接に打撃することができるようにする。
【００４６】
図７に示す現行の事例の実施例において、頂部７２２は一般にティーから打撃されるショットのスピンを制御するためにより多くのロールが必要になってよいので、第１の曲率半径は一般的には第２の曲率半径より小さくてよい。これと反対に、この発明のメタルウッドタイプのゴルフクラブヘッド７００が地面７１０からボールを実際に突けるように、底部７３２はより大きな曲率および小さなロールを伴ってよい。図７に示す現行の事例の実施例において、第２の曲率半径の第１の曲率半径に愛する比は、一般に、１．２５より大きく、より好ましくは１．５より大きく、より好ましくは２．０より大きい。
【００４７】
図７に示す、この発明のメタルウッドタイプのゴルフクラブヘッド７００のフェース部７０２の拡大図は、この発明のメタルウッドタイプのゴルフクラブヘッド７００の接地した先端７４０も示し、これはほとんど地面７１０に接触し良好な芝との相互作用を可能にする。この発明のメタルウッドタイプのゴルフクラブヘッド７００では地面７１０からの打撃もティーからの打撃と同様に意図され、先端７４０は地面７１０に配置されたゴルフボールを突くためにほとんど地面７１０と接触する必要があるので、芝との相互作用はこの発明のメタルウッドタイプのゴルフクラブヘッド７００において重要である。これはドライバタイプのゴルフクラブヘッド１００とは異なる。ここでは、先端が地面１１０から立ち上がり、ティーからのみ打撃されることを意図されるドライバタイプのゴルフクラブヘッド１００では不要な重量を削除するようになっている。接地する先端７４０は、この発明の範囲および内容から逸脱することなしに、一般に、ソールプロフィールの増大した湾曲を伴ってこの発明のメタルウッドタイプのゴルフクラブヘッド７００の性能を改善してよい。
【００４８】
図８は、この発明のさらに他の代替的な実施例を示し、ここで、フェース部８０２の拡大図は三重体化フェース部８０２を示し、これは頂部８２２、中央部８４２、および底部８３２を含む。この現行の代替的な実施例では、中央部は頂部８２２および底部８３２の間の平滑な遷移を形成するのに採用される。頂部８２２および底部８３２は異なる曲率半径を有する。この代替的な実施例において、頂部８２２の曲率半径は、図示のとおり、一般的に、底部８３２の曲率半径より小さくてよく、中央部８４２の曲率半径はこれら２つの曲率半径の間である。この発明のさらに他の代替的な実施例において、この発明の範囲および内容から逸脱しない範囲で、中央部８４２は完全に平坦で測定点のロフト角を維持するのに役立ちロフト角の一貫性を保証するようにしてもよい。こｋで、現行の事例の実施例において、中央部８４２は、頂部近くのフェースの幾何中心と、底部近くの、地面８１０から約１８ｍｍ離れた点とで規定される、分離境界を伴ってよい。図７および図８はそれぞれ二重体化フェース部７０２および三重体化フェース部８０２をそれぞれ示すけれども、この発明は、この発明の範囲および内容から逸脱しない範囲で、四重体化フェース部、五重体化フェース部、または、それぞれ固有の曲率を有する任意の個数に分割されたフェース部に適用されてよい。
【００４９】
図９は、シャフト９０６に結合された、この発明のメタルウッドタイプのゴルフクラブヘッド９００の実施例の側面図を示す。この発明のメタルウッドタイプのゴルフクラブヘッドと組みあわされたシャフト９０６は約４１インチから約４５インチの間のクラブ長ｄ９を形成し、これは再びこの発明のメタルウッドタイプのゴルフクラブヘッド９００の正確性および制御性を強調する。この発明のメタルウッドタイプのゴルフクラブヘッド９００のクラブ長ｄ９は、一般的に、より制御可能で、その結果、精度を増し、全般的な分散を減少させるゴルフクラブを形成するという努力の下、ドライバタイプのゴルフクラブヘッド１００のクラブ長より短くて良い。
【００５０】
上述から理解できるように、この発明のメタルウッドタイプのゴルフクラブヘッド９００は、ドライバタイプのゴルフクラブヘッド１００の性能利点、並びにフェアウェイタイプのゴルフクラブヘッド３００の性能利点の双方を一体化する。より具体的には、この発明のメタルウッドタイプのゴルフクラブヘッド９００は、ドライバタイプのゴルフクラブヘッド１００と類似した、その体積範囲、軽量材料特性、並びに可変厚さプロフィールを通じて、ドライバタイプのゴルフクラブヘッド１００の距離を実現できてよい。さらに、この発明のメタルウッドタイプのゴルフクラブヘッド９００は、フェアウェイタイプのゴルフクラブヘッド３００と類似した、低重心、短いシャフト長、浅いフェース湾曲、および慣性モーメントを通じて、フェアウェイタイプのゴルフクラブヘッド３００の精度および競技可能性を実現できてよい。したがって、この発明のメタルウッドタイプのゴルフクラブヘッド９００はドライバタイプのゴルフクラブヘッド１００およびフェアウェイタイプのゴルフクラブヘッドの双方の性能利点を結合させることができ、これは過去においては相互に排他的であった。
【００５１】
図１０は、ドライバタイプのゴルフクラブヘッド１００、フェアウェイタイプのゴルフクラブヘッド３００、およびこの発明に従うメタルウッドタイプのゴルフクラブヘッド９００の飛行軌道を破格刷る良好な飛行軌道プロットを提供する。ここで、軌道１００２は、ドライバタイプのゴルフクラブヘッド１００の一般的な飛行および軌道パターンを示す。他方、軌道１００６はフェアウェイタイプのゴルフクラブヘッド３００の一般的な飛行および軌道パターンを示す。軌道１００４は、この発明のメタルウッドタイプのゴルフクラブヘッド９００により打撃されたゴルフボールに従う一般的な飛行および軌道パターンを示す。この発明のメタルウッドタイプのゴルフクラブヘッド９００の飛行および軌道パターンを示す、軌道１００４は、一般的には、軌道１００２および軌道１００６の間の飛行軌道パターンを伴って良いことに留意されたい。この飛行パターンは一般的にこの発明に従うメタルウッドタイプのゴルフクラブヘッドの距離増大特性を表す。
【００５２】
作業例における他の事柄、または、とくに明言しなくとも、すべての数値範囲、量、値、百分率、例えば材料の量、慣性モーメント、重心位置、ロフト、ドラフト角、種々の性能比についてのこれら、および明細書中の他のものは、たとえ、その値、量または範囲に関連して用語「約」が表示されていなくとも、「約」がその前に配置されているように読むことができる。したがって、そうでないと示されていない限り、明細書および特許請求の範囲に表される数のパラメータは近似的であり、これは、この発明により得られることが企図される所望の特性に応じて変化する。最低限でも、もちろん均等論の適用を制約するものではないが、各数のパラメータは記録されている有効数字の数や通常の丸め処理に照らして解釈されるべきである。
【００５３】
この発明の広範な範囲を示す数的範囲およびパラメータは近似的であるけれども、具体例において示された数値は可能な限り正確に記録した。任意の数値は、それでも、それぞれのテスト計測に見いだされる標準偏差に必然的に起因する誤差を含む。さらに、種々のスコープの数値範囲が示される場合には、例示された値を含めた値の任意の組み合わせが利用できると理解されたい。
【００５４】
もちろん、先のものはこの発明の事例の実施例に関するものであり、特許請求の範囲に記載されたこの発明の趣旨および範囲から逸脱しない範囲で修正を行うことができることに留意されたい。
【符号の説明】
【００５５】
４００    ゴルフクラブヘッド
４０１    基準座標システム  
４０２    フェース部  
４０４    ホーゼル  
４０６    シャフト  
４０８    ＣＧ位置  
４１０    地面  
４１２    スコアライン  
４５０    ゴルフボール  
４５０    地面ゴルフボール  
５００    ゴルフクラブヘッド  
５０２    フェース部  
５１０    地面  
５１２    スコアライン  
６００    ゴルフクラブヘッド  
６０２    二重体化フェース部  
６０８    ＣＧ位置  
６１０    地面  
６２２    頂部  
６３２    底部  
７００    ゴルフクラブヘッド  
７０２    二重体化フェース部  
７１０    地面  
７２２    頂部  
７３２    底部  
８０２    フェース部  
８００    ゴルフクラブヘッド  
８０２    三重体化フェース部  
８１０    地面  
８２２    頂部  
８３２    底部  
８４２    中央部  
９００    ゴルフクラブヘッド  
９０６    シャフト  
【図１】
0005498276.tif 000002
【図２】
0005498276.tif 000003
【図３】
0005498276.tif 000004
【図４】
0005498276.tif 000005
【図５】
0005498276.tif 000006
【図６】
0005498276.tif 000007
【図７】
0005498276.tif 000008
【図８】
0005498276.tif 000009
【図９】
0005498276.tif 000010
【図１０】
0005498276.tif 000011